(57)【要約】【目的】旋回構造物の支持装置に関し、旋回構造物の旋回角度を自由に設定することのできるようにして汎用性を向上させた旋回構造物の支持装置を提供することを目的とする。【構成】旋回構造物１の旋回軸２を軸支持部３において回転自在に支承するとともに、旋回軸２に平行なガイド軸４を前記軸支持部３に同心な円弧状のガイド溝５内に受容して旋回構造物１の旋回範囲を規制する旋回構造物の支持装置であって、閉塞部材取付部６と、該閉塞部材取付部６において固定されて前記ガイド溝５の任意範囲を閉塞し、旋回構造物１の旋回角を変更する溝閉塞部材７とを有する旋回構造物の支持装置【選択図】　図２
2004019916.tif 000002
【特許請求の範囲】
【請求項１】
旋回構造物の旋回軸を軸支持部において回転自在に支承するとともに、旋回軸に平行なガイド軸を前記軸支持部に同心な円弧状のガイド溝内に受容して旋回構造物の旋回範囲を規制する旋回構造物の支持装置であって、
閉塞部材取付部と、該閉塞部材取付部において固定されて前記ガイド溝の任意範囲を閉塞し、旋回構造物の旋回角を変更する溝閉塞部材とを有する旋回構造物の支持装置。
【請求項２】
前記溝閉塞部材は、ガイド溝を覆うプレート形状に形成される請求項１記載の旋回構造物の支持装置。
【発明の詳細な説明】
【０００１】
【発明の属する技術分野】
本発明は旋回構造物の支持装置に関するものである。
【０００２】
【従来の技術】
照明器具、あるいはパソコンのディスプレイ装置を所定の旋回軸周りに回転自在に支持する際に使用される支持装置の従来例を図６に示す。この従来例において、照明器具等（旋回構造物１）は旋回軸２と、旋回軸２に平行なガイド軸４とを有し、適宜手段により設置基部８に固定される支持装置９には、旋回軸２が挿通する軸支持部３と、ガイド軸４が挿通するガイド溝５が形成される。
【０００３】
支持装置９に固定した状態で旋回構造物１は旋回軸２を中心として回転自在であり、ガイド溝５により回転角度θが規制される。
【０００４】
【発明が解決しようとする課題】
しかし、上述した従来例において、旋回構造物１の旋回角度は支持装置９に予め形成されるガイド溝５により決定されるために、例えば、旋回範囲に壁面１０等が干渉する場合には、干渉の発生しない範囲内に旋回構造物１の旋回角度を規制するようにガイド溝５を設計した支持装置９を別途用意する必要があり、汎用性に欠けるという問題がある。
【０００５】
本発明は、以上の欠点を解消すべくなされたものであって、旋回構造物の旋回角度を自由に設定することのできるようにして汎用性を向上させた旋回構造物の支持装置を提供することを目的とする。
【０００６】
【課題を解決するための手段】
支持装置９に装着された旋回構造物１は、旋回軸２とガイド軸４とが軸支持部３、およびガイド溝５に挿入されて旋回軸２周りに回転自在であり、ガイド溝５内でのガイド軸４の移動範囲によって旋回角度が規制される。
【０００７】
ガイド溝５は、支持装置９に形成された閉塞部材取付部６に溝閉塞部材７を固定することにより任意の位置を閉塞できる。したがってこの発明において、ガイド溝５を任意に閉塞することによって旋回構造物１の回転角度を任意に設定できるために、汎用性が向上する。
【０００８】
【発明の実施の形態】
図１にパソコンのディスプレイ装置（旋回構造物１）を壁面８に支持するための支持装置９を示す。ディスプレイ装置１は、液晶表示装置等により形成される表示部１ａと、適数個の関節１ｂ周りに屈曲操作自在な屈曲アーム１ｃとからなり、屈曲アーム１ｃの先端には、旋回軸２とガイド軸４が突設される。
【０００９】
支持装置９は、ボックス形状をなす主体部９ａと、主体部９ａに着脱自在な閉塞板（溝閉塞部材７）とを有する。主体部９ａは側壁部に形成される図外の固定部において壁面８に固定可能であり、主体部９ａの上面に上記旋回軸２を支承する軸支持部３が形成される。軸支持部３はディスプレイ装置１側の旋回軸２を脱離不能、かつ、回転自在に挿通する単なる筒状体としても、あるいは、旋回軸２を連結、固定可能な回転軸としても形成できる。
【００１０】
また、主体部９ａの上面にはガイド軸４が嵌合可能なガイド溝５が形成される。ガイド溝５は、図２（ａ）に示すように、旋回軸２の回転に伴うガイド軸４の移動を許容するように、軸支持部３と同心の円弧形状をなす。
【００１１】
さらに、上記ガイド溝５に沿って複数の閉塞板取付孔（閉塞部材取付部６）が形成される。閉塞板取付孔６は、ガイド溝５を所定ピッチ角度ｐで等分するピッチ線上において、ガイド溝５の内外方向に各々１個ずつ形成される。
【００１２】
一方、閉塞板７は、図２（ｂ）に示すように、上記ガイド溝５と同一曲率の円弧形状により形成され、一端が閉塞されたガイド軸通過切欠７ａと、ガイド軸通過切欠７ａに沿って形成される取付孔７ｂとを有する板状体で、図２（ａ）に示すように、取付孔７ｂを主体部９ａの閉塞板取付孔６に合致させた状態でガイド軸通過切欠７ａはガイド溝５に合致する。
【００１３】
この閉塞板７の主体部９ａへの固定は、種々の方法によることが可能であるが、例えば、図３（ｂ）に示すように、合成樹脂製のリベット１１を閉塞板取付孔６に圧入したり、あるいは、ねじ止めする方法によることができる。
【００１４】
したがってこの実施の形態において、出荷時においては、図２（ａ）に示すように、閉塞板７をガイド溝５を閉塞しない終端位置に装着しておき、ディスプレイ装置１を設置した状態で、壁面等との当たりが発生する場合には、図４に示すように、一旦閉塞板７を取り外した後、適宜の位置に閉塞板７を固定し直すことによって、旋回角度をθからθ’に規制し、壁面等との当たりを簡単に防止できる。
【００１５】
図５に本発明の他の実施の形態を示す。この実施の形態において、溝閉塞部材７は合成樹脂材により形成され、図５（ａ）〜（ｄ）に示すように、上方に摘み部７ｃが突設された円板状の閉塞プレート部７ｄを有する。一方、ガイド溝５には所定ピッチで閉塞部材取付部６となる拡径部が形成され、閉塞プレート部７ｄは、拡径部６の径より大径に形成される。また、閉塞プレート部７ｄの裏面には、長軸寸法が上記拡径部６の直径よりやや長寸のストッパ長円部７ｅが形成され、該ストッパ長円部７ｅの裏面にさらに長円形状の底壁ストッパ７ｆが設けられる。
【００１６】
ストッパ長円部７ｅの厚さ（ｈ）は、主体部９ａの天井部の肉厚にほぼ等しく、まず、図５（ｅ）において、矢印Ａで示すように、底壁ストッパ７ｆをガイド溝５に挿通させた後、摘み部７ｃを水平回転させると、図５（ｅ）において矢印Ｂで示すように、ストッパ長円部７ｅが撓みながらガイド溝５の拡径部６に嵌合し、当該回転姿勢を維持する。この状態において、溝閉塞部材７は底壁ストッパ７ｆと閉塞プレート部７ｄにより主体部９ａの天井部を挟み付けることからガイド溝５から脱落することがなくなり、この結果、ガイド軸４の移動範囲を規制する干渉体として機能する。
【００１７】
なお、以上においては、１個の溝閉塞部材７を使用することにより、予め決定されたガイド溝５の一方の終端から溝閉塞部材７が装着される範囲までを旋回角度として規制する場合を示したが、２個の溝閉塞部材７を使用すると、両側の旋回終端を自由に決定することが可能になる。
【００１８】
【発明の効果】
以上の説明から明らかなように、本発明によれば、旋回構造物の旋回角度を自由に設定することのできるので、汎用性を向上させることができる。
【図面の簡単な説明】
【図１】本発明を示す図で、（ａ）は要部斜視図、（ｂ）は壁面への設置状態を示す全体図である。
【図２】支持装置を示す図で、（ａ）は平面図、（ｂ）は閉塞板を示す平面図である。
【図３】図２の断面図で、（ａ）は図２（ａ）の３Ａ−３Ａ線断面図、（ｂ）は図２（ａ）の３Ｂ−３Ｂ線断面図である。
【図４】角度規制をした状態の支持装置を示す平面図である。
【図５】本発明の他の実施の形態を示す図で、（ａ）は溝閉塞部材を示す図、（ｂ）は（ａ）の５Ｂ方向矢視図、（ｃ）は（ｂ）の５Ｃ方向矢視図、（ｄ）は（ｃ）の５Ｄ方向矢視図、（ｅ）は溝閉塞部材を装着方法を示す説明図である。
【図６】従来例を示す図で、（ａ）は断面図、（ｂ）は（ａ）の６Ｂ−６Ｂ線断面図である。
【符号の説明】
１　　　　旋回構造物
２　　　　旋回軸
３　　　　軸支持部
４　　　　ガイド軸
５　　　　ガイド溝
６　　　　閉塞部材取付部
７　　　　溝閉塞部材
【図１】
2004019916.tif 000003
【図２】
2004019916.tif 000004
【図３】
2004019916.tif 000005
【図４】
2004019916.tif 000006
【図５】
2004019916.tif 000007
【図６】
2004019916.tif 000008